(57)【要約】 【課題】    住宅の室内全体に冷温風を均等に送風する。【解決手段】本発明に係る住宅内の冷暖房システムは、外周基礎２及び建物内基礎３ａ，３ｂから構成され建物本体を支持する布基礎１のうち、建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成し、一階床下空間４には空調機（室内機）５を設置し、一階各居室の床には、床ガラリとも呼ばれる床吹出し口７を設けてある。天井８には天井吹出し口９を設けるとともに、一階床下空間４と天井裏空間１０とを連通させる縦ダクト１１を備えており、その内部にはダンパー１２を内蔵してある。【選択図】  図１
2006322640.tif 000002
【特許請求の範囲】
【請求項１】
空調吹出し口が一階床下空間に連通するように空調機を設置し、該一階床下空間と一階各居室の内部空間とを連通させる床吹出し口を前記一階各居室の床に設けるとともに該床吹出し口を開閉自在に構成し、天井に天井吹出し口を設けるとともに前記一階床下空間と天井裏空間とを連通させ内部にダンパーを内蔵した縦ダクトを備えたことを特徴とする住宅内の冷暖房システム。
【請求項２】
建物本体を支持する布基礎のうち、外周基礎を除く建物内基礎を該建物内基礎が相互に不連続となるように又は前記外周基礎と前記建物内基礎とが相互に不連続となるように形成した請求項１記載の住宅内の冷暖房システム。
【請求項３】
上層階の床を二重床とするとともに間仕切り壁を該二重床の上に立設し、空調吹出し口が前記二重床を構成する上下の床板で挟まれた二重床空間に連通するように空調機を設置し、該二重床空間と上層階各居室の内部空間とを連通させる床吹出し口を前記上層階各居室の二重床のうち、上段の床板に設けるとともに該床吹出し口を開閉自在に構成し、天井に天井吹出し口を設けるとともに前記二重床空間と天井裏空間とを連通させ内部にダンパーを内蔵した縦ダクトを備えたことを特徴とする住宅内の冷暖房システム。
【発明の詳細な説明】
【技術分野】
【０００１】
本発明は、省エネルギーを考慮した住宅内の冷暖房システムに関する。
【背景技術】
【０００２】
省エネルギーの観点で住宅全体の冷暖房負荷を軽減する技術開発がさまざまな視点で行われており、床下空間に蓄熱材を設置したり、床下空間を介して地熱を室内に取り込む技術が多数提案されている。
【０００３】
床下空間に蓄熱材を設置する提案では、太陽エネルギー、エアコン等の温冷熱を蓄熱材に蓄熱させ、これを鉛直ダクトを介して各居室に送り込むようになっており、地熱を利用する提案では、外気を地中熱と熱交換させてから室内に送風するようになっている。
【０００４】
【特許文献１】特開２００４−１９７９７４
【特許文献２】特開２００３−３５４３３
【発明の開示】
【発明が解決しようとする課題】
【０００５】
しかしながら、いずれも一階の床下空間から各居室に熱（冷温風）を送り込むという点にとどまるため、一階ならばともかく、二階では途中の鉛直ダクトを通過する間に熱損失を生じ、二階においては十分な冷暖房効果を得ることが困難であるという問題を生じていた。
【０００６】
また、冷温風の吹出しについて日本特有の気候に配慮された従来技術はほとんどなく、年間を通して居住性に優れた冷暖房システムを従来技術で構築することもまた困難であった。
【課題を解決するための手段】
【０００７】
本発明は、上述した事情を考慮してなされたもので、季節を問わず年間を通して居住性に優れた冷暖房を住宅全体で行うことが可能な住宅内の冷暖房システムを提供することを目的とする。
【０００８】
上記目的を達成するため、本発明に係る住宅内の冷暖房システムは請求項１に記載したように、空調吹出し口が一階床下空間に連通するように空調機を設置し、該一階床下空間と一階各居室の内部空間とを連通させる床吹出し口を前記一階各居室の床に設けるとともに該床吹出し口を開閉自在に構成し、天井に天井吹出し口を設けるとともに前記一階床下空間と天井裏空間とを連通させ内部にダンパーを内蔵した縦ダクトを備えたものである。
【０００９】
また、本発明に係る住宅内の冷暖房システムは、建物本体を支持する布基礎のうち、外周基礎を除く建物内基礎を該建物内基礎が相互に不連続となるように又は前記外周基礎と前記建物内基礎とが相互に不連続となるように形成したものである。
【００１０】
また、本発明に係る住宅内の冷暖房システムは請求項３に記載したように、上層階の床を二重床とするとともに間仕切り壁を該二重床の上に立設し、空調吹出し口が前記二重床を構成する上下の床板で挟まれた二重床空間に連通するように空調機を設置し、該二重床空間と上層階各居室の内部空間とを連通させる床吹出し口を前記上層階各居室の二重床のうち、上段の床板に設けるとともに該床吹出し口を開閉自在に構成し、天井に天井吹出し口を設けるとともに前記二重床空間と天井裏空間とを連通させ内部にダンパーを内蔵した縦ダクトを備えたものである。
【００１１】
請求項１に係る住宅内の冷暖房システムにおいて、床下から冷暖房したい場合、縦ダクト内のダンパーを閉じ、該ダクト内で空気が流通しないようにする。
【００１２】
すると、通常、住宅内の各居室は、所定の排気口から強制排気されていて居室内が負圧となっているため、空調機を作動させれば、該空調機の空調吹出し口から吹き出された冷温風は、一階床下空間を流動した後、一階各居室の床に設けられた床吹出し口から冷温風が吹き出す。加えて、床を介した間接的な冷暖房も行われる。
【００１３】
一方、天井から冷暖房したい場合、縦ダクト内のダンパーを開くとともに、床吹出し口を閉じて該床吹出し口から冷温風が出ないようにする。
【００１４】
かかる状態で空調機を作動させれば、該空調機の空調吹出し口から吹き出された冷温風は、上述したように居室内が負圧となっていることと相まって、縦ダクト内を上昇した後、天井に設けられた天井吹出し口から吹き出す。
【００１５】
したがって、例えば夏に天井から冷風を送りたい場合にしろ、冬に床から温風を送りたい場合にしろ、一階各居室を年間を通して快適に冷暖房することが可能となる。
【００１６】
ここで、一階床下空間をどのように構成するかは任意であるが、建物本体を支持する布基礎のうち、外周基礎を除く建物内基礎を該建物内基礎が相互に不連続となるように又は前記外周基礎と前記建物内基礎とが相互に不連続となるように形成したならば、布基礎が不連続となった箇所が通風開口となって一階床下空間が全体として一体化し、かくして一階床下空間における空気の流動性が大幅に改善され、上述した吹出し性能が向上し、ひいては年間を通した居住性がさらに向上する。
【００１７】
請求項３に係る住宅内の冷暖房システムにおいては、上層階の床を二重床とするとともに間仕切り壁を該二重床の上に立設してある。
【００１８】
このようにすると、耐力壁が設けられた箇所を除いては互いに隣接する居室の床下を空気が自由に流動する。すなわち、上層階の二重床空間は、居室単位ではなく上層階全体として一体化し、かくして二重床空間における空気の流動性が大幅に改善される。
【００１９】
ここで、床下から冷暖房したい場合、縦ダクト内のダンパーを閉じ、該ダクト内で空気が流通しないようにする。
【００２０】
すると、通常、住宅内の各居室は、所定の排気口から強制排気されていて居室内が負圧となっているため、空調機を作動させれば、該空調機の空調吹出し口から吹き出された冷温風は、二重床空間をくまなく流動した後、上層階各居室の床に設けられた床吹出し口から冷温風が吹き出す。加えて、床を介した間接的な冷暖房も行われる。
【００２１】
一方、天井から冷暖房したい場合、縦ダクト内のダンパーを開くとともに、床吹出し口を閉じて該床吹出し口から冷温風が出ないようにする。
【００２２】
かかる状態で空調機を作動させれば、該空調機の空調吹出し口から吹き出された冷温風は、上述したように居室内が負圧となっていることと相まって、縦ダクト内を上昇した後、天井に設けられた天井吹出し口から吹き出す。
【００２３】
したがって、例えば夏に天井から冷風を送りたい場合にしろ、冬に床から温風を送りたい場合にしろ、上層階各居室を均等に冷暖房することが可能となる。
【００２４】
上層階とは、二階、三階といった一階を除く任意の地上階をいうものとする。
【発明を実施するための最良の形態】
【００２５】
以下、本発明に係る住宅内の冷暖房システムの実施の形態について、添付図面を参照して説明する。なお、従来技術と実質的に同一の部品等については同一の符号を付してその説明を省略する。
【００２６】
（第１実施形態）
【００２７】
図１は、本実施形態に係る住宅内の冷暖房システムを示した図であり、(a)は一階基礎伏図、(b)はＡ−Ａ線に沿う断面図である。同図でわかるように、本実施形態に係る住宅内の冷暖房システムは、外周基礎２及び建物内基礎３ａ，３ｂから構成され建物本体を支持する布基礎１のうち、建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成し、一階床下空間４には空調機（室内機）５を設置し、一階各居室の床には、床ガラリとも呼ばれる床吹出し口７を設けてある。
【００２８】
空調機５は、その空調吹出し口６が一階床下空間４に連通するように設置してあるとともに、床吹出し口７は、該床吹出し口を介して一階床下空間４と一階各居室の内部空間とを連通させるように構成してある。床吹出し口７は開閉自在に構成してあり、開いた状態では一階床下空間４から冷温風が居室内に流れ込み、閉じた状態では冷温風の居室への流入が遮断される。
【００２９】
空調機５の室外機（図示せず）については適宜屋外に設置すればよい。
【００３０】
一方、天井８には天井吹出し口９を設けるとともに、一階床下空間４と天井裏空間１０とを連通させる縦ダクト１１を備えており、その内部にはダンパー１２を内蔵してある。
【００３１】
本実施形態に係る住宅内の冷暖房システムにおいては、上述したように建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成してある。
【００３２】
このようにすると、図１(a)でよくわかるように、布基礎１が不連続となった箇所が通風開口となって一階床下空間４が全体として一体化する。
【００３３】
ここで、床下から冷暖房したい場合、図１(b)に示すように縦ダクト１１内のダンパー１２を閉じ、該ダクト内で空気が流通しないようにする。
【００３４】
すると、通常、住宅内の各居室は、所定の排気口（図示せず）から強制排気されていて居室内が負圧となっているため、空調機５を作動させれば、該空調機の空調吹出し口６から吹き出された冷温風は、一階床下空間４をくまなく流動した後、一階各居室の床に設けられた床吹出し口７から冷温風が吹き出す。加えて、床を介した間接的な冷暖房も行われる。
【００３５】
一方、天井８から冷暖房したい場合、図２に示すように、縦ダクト１１内のダンパー１２を開くとともに、床吹出し口７に蓋１３を被せることによって該床吹出し口から冷温風が出ないようにする。
【００３６】
かかる状態で空調機５を作動させれば、該空調機の空調吹出し口６から吹き出された冷温風は、上述したように居室内が負圧となっていることと相まって、縦ダクト１１内を上昇した後、天井８に設けられた天井吹出し口９から吹き出す。
【００３７】
以上説明したように、本実施形態に係る住宅内の冷暖房システムによれば、天井８に天井吹出し口９を設けるとともに、一階床下空間４と天井裏空間１０とを連通させる縦ダクト１１を備え、その内部にダンパー１２を内蔵するようにしたので、床下から冷暖房したい場合、縦ダクト１１内のダンパー１２を閉じ、天井８から冷暖房したい場合、縦ダクト１１内のダンパー１２を開くとともに、床吹出し口７を閉じて該床吹出し口から冷温風が出ないようにすれば、床下からの冷暖房と天井からの冷暖房を例えば季節によって随時切り換えることが可能となる。
【００３８】
したがって、一階各居室を年間を通して快適に冷暖房することが可能となる。
【００３９】
また、本実施形態に係る住宅内の冷暖房システムによれば、布基礎１が不連続となった箇所が通風開口となって一階床下空間４が全体として一体化し、かくして一階床下空間４における空気の流動性が大幅に改善され、上述した吹出し性能、ひいては年間を通した居住性がさらに向上する。
【００４０】
本実施形態では、外周基礎２及び建物内基礎３ａ，３ｂから構成され建物本体を支持する布基礎１のうち、建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成したが、布基礎を必ずしもこのように構成する必要はなく、要は一階床下空間で冷温風が所望の程度まで流動可能な構成となっていれば足りる。
【００４１】
例えば、布基礎を通常の布基礎とし、必要に応じて構造上問題がない箇所に通気孔を随所に設けることにより、冷温風流動性の面で一階床下空間を一体化させることが考えられる。なお、かかる構成においては、新築の住宅に限定されるものではなく、既設の住宅をリフォームする場合にきわめて有効な手段となる。
【００４２】
（第２実施形態）
【００４３】
次に、第２実施形態について説明する。なお、第１実施形態と実質的に同一の部品等については同一の符号を付してその説明を省略する。
【００４４】
図３は、本実施形態に係る住宅内の冷暖房システムを示した図であり、(a)は二階における二重床内での水平断面図、(b)はＢ−Ｂ線に沿う断面図である。同図でわかるように、本実施形態に係る住宅内の冷暖房システムは、上層階である二階の床を二重床３１とするとともに間仕切り壁３２を該二重床の上に立設し、二重床３１には空調機３５を設置し、二重床３１の上段の床板３７ａには床吹出し口７を設けてある。
【００４５】
ここで、空調機３５は、その空調吹出し口３６が二重床３１を構成する上下の床板３７ａ，３７ｂで挟まれた二重床空間３８に連通するように設置してあるとともに、床吹出し口７は、該床吹出し口を介して二重床空間３８と二階各居室の内部空間とを連通させるように構成してある。
【００４６】
二重床３１は例えば、梁（図示せず）の上に構造用合板を貼り、その上に１２ｃｍ程度の束を立ててその上にさらに構造用合板を貼って床仕上げをして構成することが可能であり、本実施形態では、１２ｃｍの高さ空間が通風空間になる。
【００４７】
床吹出し口７は開閉自在に構成してあり、開いた状態では一階床下空間４から冷温風が居室内に流れ込み、閉じた状態では冷温風の居室への流入が遮断される。
【００４８】
空調機３５の室外機（図示せず）については適宜屋外に設置すればよい。
【００４９】
一方、天井８には天井吹出し口９を設けるとともに、二重床空間３８と天井裏空間１０とを連通させる縦ダクト１１を備えており、その内部にはダンパー１２を内蔵してある。
【００５０】
なお、同図ハッチングで示された箇所は、耐力壁３９である。
【００５１】
本実施形態に係る住宅内の冷暖房システムにおいては、上層階の床を二重床３１とするとともに間仕切り壁３２を該二重床の上に立設してある。
【００５２】
このようにすると、図３(a)でよくわかるように、耐力壁３９が設けられた箇所を除いては二重床空間３８を空気が自由に流動する。すなわち、二階の二重床空間３８は、居室単位ではなく上層階全体として一体化する。
【００５３】
ここで、床下から冷暖房したい場合、図３(b)に示すように縦ダクト１１内のダンパー１２を閉じ、該ダクト内で空気が流通しないようにする。
【００５４】
すると、通常、住宅内の各居室は、所定の排気口（図示せず）から強制排気されていて居室内が負圧となっているため、空調機３５を作動させれば、該空調機の空調吹出し口３６から吹き出された冷温風は、二重床空間３８をくまなく流動した後、一階各居室の床に設けられた床吹出し口７から冷温風が吹き出す。加えて、床を介した間接的な冷暖房も行われる。
【００５５】
一方、天井８から冷暖房したい場合、図４に示すように、縦ダクト１１内のダンパー１２を開くとともに、床吹出し口７に蓋１３を被せることによって該床吹出し口から冷温風が出ないようにする。
【００５６】
かかる状態で空調機３５を作動させれば、該空調機の空調吹出し口３６から吹き出された冷温風は、上述したように居室内が負圧となっていることと相まって、縦ダクト１１内を上昇した後、天井８に設けられた天井吹出し口９から吹き出す。
【００５７】
以上説明したように、本実施形態に係る住宅内の冷暖房システムによれば、二重床空間３８が全体として一体化し、かくして二重床空間３８における空気の流動性が大幅に改善される。
【００５８】
したがって、二階各居室を均等に冷暖房することが可能となる。
【００５９】
また、本実施形態に係る住宅内の冷暖房システムによれば、天井８に天井吹出し口９を設けるとともに、二重床空間３８と天井裏空間１０とを連通させる縦ダクト１１を備え、その内部にダンパー１２を内蔵するようにしたので、床下から冷暖房したい場合、縦ダクト１１内のダンパー１２を閉じ、天井８から冷暖房したい場合、縦ダクト１１内のダンパー１２を開くとともに、床吹出し口７を閉じて該床吹出し口から冷温風が出ないようにすれば、床下からの冷暖房と天井からの冷暖房を例えば季節によって随時切り換えることが可能となる。
【図面の簡単な説明】
【００６０】
【図１】第１実施形態に係る住宅内の冷暖房システムの概略図であり、床からの冷暖房を行っている様子を示した図。
【図２】第１実施形態に係る住宅内の冷暖房システムの概略図であり、天井からの冷暖房を行っている様子を示した図。
【図３】第２実施形態に係る住宅内の冷暖房システムの概略図であり、床からの冷暖房を行っている様子を示した図。
【図４】第２実施形態に係る住宅内の冷暖房システムの概略図であり、天井からの冷暖房を行っている様子を示した図。
【符号の説明】
【００６１】
１                            布基礎
２                            外周基礎
３ａ，３ｂ                       建物内基礎
４                            一階床下空間
５，３５                        空調機
６，３６                        空調吹出し口
７                            床吹出し口
３８                           二重床
３７ａ                          二重床を構成する上段の床板
３７ａ                          二重床を構成する下段の床板
３８                           二重床空間
【図１】
2006322640.tif 000003
【図２】
2006322640.tif 000004
【図３】
2006322640.tif 000005
【図４】
2006322640.tif 000006